(57)【要約】      （修正有）【課題】操作に便利で作動が迅速である薄膜切断器を提供する。【解決手段】薄膜切断器は切断機構１、可動刃４０、作動ユニット５、二つのカッターおよびガイドユニット８０を備える。切断機構１はグリップ、格納部、取付部、滑動部、刃進出口および薄膜回収口を有する。可動刃４０は切断機構１の取付部に回転可能に装着される接続部および刃部を有する。作動ユニット５は切断機構１の滑動部に装着される滑動部、それと連動する作動部および制御部を有する。制御部によって可動刃４０を切断機構１の取付部に対して斜めに回転させ、可動刃４０の刃部を刃進出口に露出させたり、後退させたりすることができる。二つのカッターは切断機構１に装着され、それぞれ刃部を有し、二つの刃部からなる夾角が薄膜回収口に対応する。ガイドユニット８０は薄膜回収口に対応するように切断機構１に装着される。【選択図】図１
0003210723.tif 000002
【実用新案登録請求の範囲】
【請求項１】
切断機構（１）、可動刃（４０）、作動ユニット（５）、二つのカッター（７０）およびガイドユニット（８０）を備え、
前記切断機構（１）はグリップ（１１）、格納部（１２）、取付部（１４）、滑動部（１５）、刃進出口（１６）および薄膜回収口（１８）を有し、
前記可動刃（４０）は前記切断機構（１）の前記取付部（１４）に回転可能に装着される接続部（４１）および刃部（４５）を有し、
前記作動ユニット（５）は、前記切断機構（１）の前記滑動部（１５）に装着される滑動部（５１）、前記滑動部（５１）と連動する作動部（５２）および制御部（６３）を有し、前記制御部（６３）は前記可動刃（４０）を前記切断機構（１）の前記取付部（１４）に対して斜めに回転させ、前記可動刃（４０）の前記刃部（４５）を前記刃進出口（１６）に露出させたり、後退させたりすることができ、
二つの前記カッター（７０）は前記切断機構（１）に装着され、それぞれ刃部（７２）を有し、二つの前記刃部（７２）からなる夾角が前記薄膜回収口（１８）に対応し、
前記ガイドユニット（８０）は、前記薄膜回収口（１８）に対応するように前記切断機構（１）に装着されることを特徴とする、
薄膜切断器。
【請求項２】
前記切断機構（１）は、作動孔（１７）と、前記作動孔（１７）に形成された位置決め部（１７１）とを有し、前記作動部（５２）は前記作動孔（１７）を滑動し、前記作動孔（１７）の前記位置決め部（１７１）の左右方向からの外力によって妨害されることを特徴とする請求項１に記載の薄膜切断器。
【請求項３】
前記切断機構（１）は、二つの前記滑動部（１５）に形成された位置決め部（１５３）を有し、前記作動ユニット（５）は前記切断機構（１）の前記滑動部（１５）の前記位置決め部（１５３）に安定するように装着される位置決め部（５３）を有することを特徴とする請求項２に記載の薄膜切断器。
【請求項４】
前記切断機構（１）は、二つの前記滑動部（１５）に形成された位置決め部（１５３）を有し、前記作動ユニット（５）は前記切断機構（１）の前記滑動部（１５）の前記位置決め部（１５３）に安定するように装着される位置決め部（５３）を有することを特徴とする請求項１に記載の薄膜切断器。
【請求項５】
前記作動ユニット（５）は、滑動機構（５０）と、前記滑動機構（５０）と結合する片状当接部（６０）を有し、前記制御部（６３）は前記片状当接部（６０）に位置付けられることを特徴とする請求項１乃至４のいずれか一つに記載の薄膜切断器。
【請求項６】
前記滑動機構（５０）は、凸状接続部（５４）を有し、前記片状当接部（６０）は前記滑動機構（５０）の前記凸状接続部（５４）に被さる接続孔（６２）を有することを特徴とする請求項５に記載の薄膜切断器。
【請求項７】
前記可動刃（４０）は、第一ストッパー（４３）および第二ストッパー（４４）を有し、前記第一ストッパー（４３）は前記制御部（６３）の作動によって前記可動刃（４０）の前記刃部（４５）を前記刃進出口（１６）から後退させ、前記第二ストッパー（４４）は前記制御部（６３）の作動によってスウィングし、前記可動刃（４０）の前記刃部（４５）を前記刃進出口（１６）に露出させることを特徴とする請求項６に記載の薄膜切断器。
【請求項８】
前記可動刃（４０）は、第一ストッパー（４３）および第二ストッパー（４４）を有し、前記第一ストッパー（４３）は前記制御部（６３）の作動によって前記可動刃（４０）の前記刃部（４５）を前記刃進出口（１６）から後退させ、前記第二ストッパー（４４）は前記制御部（６３）の作動によってスウィングし、前記可動刃（４０）の前記刃部（４５）を前記刃進出口（１６）に露出させることを特徴とする請求項５に記載の薄膜切断器。
【請求項９】
前記可動刃（４０）は、第一ストッパー（４３）および第二ストッパー（４４）を有し、前記第一ストッパー（４３）は前記制御部（６３）の作動によって前記可動刃（４０）の前記刃部（４５）を前記刃進出口（１６）から後退させ、前記第二ストッパー（４４）は前記制御部（６３）の作動によってスウィングし、前記可動刃（４０）の前記刃部（４５）を前記刃進出口（１６）に露出させることを特徴とする請求項１乃至４のいずれか一つに記載の薄膜切断器。
【考案の詳細な説明】
【技術分野】
【０００１】
本考案は、切断工具に関し、詳しくは薄膜切断器に関するものである。
【背景技術】
【０００２】
従来の薄膜切断器はテープなどの薄膜を切断するための刃部を有する。刃部は本体に突出した固定刃であるが、これに限らず、伸縮可能な可動刃であってもよい。従来の薄膜切断器を使用する際、操作に不便であるか、作動が遅いか、位置決めする際の安定性が足りないという状況が発生する。
【０００３】
上述したとおり、従来の薄膜切断器には改善の余地がある。
【考案の概要】
【考案が解決しようとする課題】
【０００４】
本考案は、上述した問題に鑑み、操作に便利で作動が迅速であり、位置決めする際の安定性を有する可動刃を備える薄膜切断器を提供することを主な目的とする。
【課題を解決するための手段】
【０００５】
上述した課題を解決するため、薄膜切断器は切断機構、可動刃、作動ユニット、二つのカッターおよびガイドユニットを備える。切断機構はグリップ、格納部、取付部、滑動部、刃進出口および薄膜回収口を有する。可動刃は切断機構の取付部に回転可能に装着される接続部および刃部を有する。作動ユニットは切断機構の滑動部に装着される滑動部、それと連動する作動部および制御部を有する。制御部によって可動刃を切断機構の取付部に対して斜めに回転させ、可動刃の刃部を刃進出口に露出させたり、後退させたりすることができる。二つのカッターは切断機構に装着され、それぞれ刃部を有し、二つの刃部からなる夾角が薄膜回収口に対応する。ガイドユニットは薄膜回収口に対応するように切断機構に装着される。
【０００６】
本考案による薄膜切断器は作動ユニットが切断機構に回転可能に装着されるため、可動刃を迅速に伸縮作動させ、可動刃を交換する際の利便性をはかることができる。
【０００７】
比較的好ましい場合、切断機構は作動孔と、作動孔に形成された位置決め部とを有する。作動部は作動孔を滑動し、作動孔の位置決め部の左右方向からの外力によって妨害される。
【０００８】
比較的好ましい場合、切断機構は二つの滑動部に形成された位置決め部を有する。作動ユニットは切断機構の滑動部の位置決め部に安定するように装着される位置決め部を有する。
【０００９】
比較的好ましい場合、作動ユニットは滑動機構およびそれと結合する片状当接部を有する。制御部は片状当接部に位置付けられる。
【００１０】
比較的好ましい場合、滑動機構は凸状接続部を有する。片状当接部は滑動機構の凸状接続部に被さる接続孔を有する。
【００１１】
比較的好ましい場合、可動刃は第一ストッパーおよび第二ストッパーを有する。第一ストッパーは制御部の作動によって可動刃の刃部を刃進出口から後退させる。第二ストッパーは制御部の作動によってスウィングし、可動刃の刃部を刃進出口に露出させる。
【００１２】
本考案による薄膜切断器の詳細な構造および特徴を、以下の実施形態の詳細な説明を通して明確にする。また、以下の詳細な説明および本考案により提示された実施形態は本考案を説明するための一例に過ぎず、本考案の請求範囲を限定できないことは、本考案にかかわる領域において常識がある人ならば理解できるはずである。  
【図面の簡単な説明】
【００１３】
【図１】本考案の一実施形態による薄膜切断器を示す斜視図である。
【図２】本考案の一実施形態による薄膜切断器を示す分解斜視図である。
【図３】本考案の一実施形態による薄膜切断器を示す別の分解斜視図である。
【図４】本考案の一実施形態による薄膜切断器の一部分を示す斜視図である。
【図５】本考案の一実施形態による薄膜切断器が作動する状態を示す側面図の一部分である。
【図６】本考案の一実施形態による薄膜切断器が作動する状態を示す側面図の一部分である。
【考案を実施するための形態】
【００１４】
本明細書に掲示された内外、上下などの方向性に関わる用語は図面の方向に基づいて定義される。
【００１５】
以下、本考案による薄膜切断器を図面に基づいて説明する。
【００１６】
（一実施形態）
図１から図６に示すように、本考案の一実施形態による薄膜切断器は切断機構１、可動刃４０、作動ユニット５、二つのカッター７０およびガイドユニット８０を備える。
【００１７】
切断機構１は、本体１０、キャップ２０、ボルト３１およびナット３２を有する。ボルト３１およびナット３２は相互に嵌め合うように本体１０に装着される。
【００１８】
本体１０は、グリップ１１、格納部１２、締付孔１３、取付部１４、滑動部１５、二つの滑動部１５に形成された位置決め部１５３、刃進出口１６、作動孔１７、作動孔１７に形成された位置決め部１７１および薄膜回収口１８を有する。
【００１９】
キャップ２０は、切断機構１のボルト３１を締め付けるための締付孔２３１と、切断機構１のナット３２を格納するためのナット孔２３２と、本体１０の取付部１４を回転可能に安定させるための接続孔２４と、本体１０の滑動部１５に対応する滑動部２５と、滑動部２５の一側に形成された凹状溝２６とを有する。
【００２０】
可動刃４０は、本体１０の取付部１４に回転可能に装着される接続部４１、第一ストッパー４３、第二ストッパー４４および刃部４５を有する。
【００２１】
作動ユニット５は、滑動機構５０およびそれと結合する片状当接部６０を有する。
【００２２】
滑動機構５０は、本体１０の滑動部１５に装着される滑動部５１と、滑動部５１に連動可能に連結される作動部５２と、切断機構１の滑動部１５の位置決め部１５３に安定する位置決め部５３と、滑動部５１の一側に位置する二つの凸状接続部５４とを有する。
【００２３】
作動部５２は作動孔１７を滑動し、作動孔１７の位置決め部１７１の左右方向からの外力によって妨害される。
【００２４】
作動孔１７の位置決め部１７１および滑動機構５０の位置決め部５３は側辺が中空であるため、変形および移動できる。
【００２５】
片状当接部６０は、接続部６１、二つの接続孔６２および制御部６３を有する。接続部６１は滑動機構５０の滑動部５１に装着される。二つの接続孔６２は滑動機構５０の凸状接続部５４に被さる。制御部６３は可動刃４０を切断機構１の取付部１４に対して斜めに回転させ、可動刃４０の刃部４５を刃進出口１６に露出させたり、後退させたりする。
【００２６】
可動刃４０の第一ストッパー４３は制御部６３の作動によって可動刃４０の刃部４５を刃進出口１６から後退させる。可動刃４０の第二ストッパー４４は制御部６３の作動によってスウィングし、可動刃４０の刃部４５を刃進出口１６に露出させる。
【００２７】
二つのカッター７０は、本体１０に装着され、それぞれ薄膜回収口１８に対応する刃部７２を有する。
【００２８】
ガイドユニット８０は、薄膜回収口１８に対応するように切断機構１に装着される。
【００２９】
片状当接部６０は、可動刃４０をよりスムーズに滑動させ、滑動機構５０の摩耗を減少させ、滑動機構５０の耐久性を向上させることができる。
【００３０】
可動刃４０の第一ストッパー４３は可動刃４０の接続部４１の両側に位置すると同時に片状当接部６０の制御部６３に当接するため、可動刃４０は振動せず、スウィングする際の安定性を維持することができる。
【００３１】
上述したとおり、本考案による薄膜切断器は使用上の利便性をはかり、可動刃４０を迅速に伸縮作動させ、可動刃４０が位置決めする際の安定性を確保することができ、即ち本考案の目的を達成することができる。
【００３２】
本考案は上述した一実施形態に限定されず、下記の実施形態を実現させることができる。
【００３３】
切断機構１は二つのユニット、即ち本体１０およびキャップ２０から構成されるが、これに限らず、一つのユニットから構成されてもよい。
【００３４】
作動ユニット５は片状当接部６０が配置されなくてもよい。制御部６３は滑動機構５０から形成されてもよい。
【００３５】
上述した実施形態を単独で実現するほか、複数の実施形態を組み合わせても、本考案の目的を達成することができる。
【００３６】
上述したとおり、本考案による薄膜切断器は使用上の利便性をはかり、可動刃４０を迅速に伸縮作動させ、可動刃４０が位置決めする際の安定性を確保することができ、即ち本考案の目的を達成することができる。
以上、本考案は、上記実施形態になんら限定されるものではなく、考案の趣旨を逸脱しない範囲において種々の形態で実施可能である。
【符号の説明】
【００３７】
１      切断機構
５      作動ユニット
１０    本体
１１    グリップ
１２    格納部
１３    締付孔
１４    取付部
１５    滑動部
１５３  位置決め部
１６    刃進出口
１７    作動孔
１７１  位置決め部
１８    薄膜回収口
２０    キャップ
２３１  締付孔
２３２  ナット孔
２４    接続孔
２５    滑動部
２６    凹状溝
３１    ボルト
３２    ナット
４０    可動刃
４１    接続部
４３    第一ストッパー
４４    第二ストッパー
４５    刃部
５０    滑動機構
５１    滑動部
５２    作動部
５３    位置決め部
５４    凸状接続部
６０    片状当接部
６１    接続部
６２    接続孔
６３    制御部
７０    カッター
７２    刃部
８０    ガイドユニット
【図１】
0003210723.tif 000003
【図２】
0003210723.tif 000004
【図３】
0003210723.tif 000005
【図４】
0003210723.tif 000006
【図５】
0003210723.tif 000007
【図６】
0003210723.tif 000008